(57)【特許請求の範囲】
【請求項１】
前後折れ部及びクイックリリースレバーから成り、前記クイックリリースレバーが折り畳み機の前折れ部に取り付けられ、折り畳まれた折り畳み機の前後折れ部上でロックされる自動ロック装置付き自転車折り畳み機であって、
前記クイックリリースレバー上にロックキャッチを設け、車体パイプ上にロックボルトを設け、前記車体パイプ上の前記ロックボルトが、前記折り畳み機をロックする前記クイックリリースレバーの前記ロックキャッチ上でロックインされ、
前記ロックボルトが戻り止めレバーとレバー軸とから成り、前記車体パイプとの間に一定の隙間があり、
前記戻り止めレバーは、さしがね形状であり、前記戻り止めレバー上の前記レバー軸で０〜６０°回転でき、前記戻り止めレバーの前記ロックキャッチと接触する一端が傾斜面であり、前記ロックキャッチは、ロックされるとき、傾斜面により前記戻り止めレバーを下に押し、前記戻り止めレバーと前記車体パイプとの隙間に入り、
前記戻り止めレバーのもう一端が重りになることで、前記戻り止めレバーは、重力作用により、前記ロックキャッチと接触する側の一端を常に上向きの状態にさせる、
ことを特徴とする自動ロック装置付き自転車折り畳み機。
【請求項２】
前記ロックボルトがねじりスプリングを含み、前記ねじりスプリングが前記戻り止めレバー内に設置され、前記レバー軸が前記戻り止めレバーと前記ねじりスプリングを自転車車体パイプ上に固定連接し、前記ねじりスプリングが、弾力により、前記戻り止めレバーと前記ロックキャッチとの接触端を常に上向きの状態に保つことを特徴とする請求項１記載の自動ロック装置付き自転車折り畳み機。
【請求項３】
前記ロックキャッチが、先端が円錐形の止め釘と金属ストライクブレードから成り、前記止め釘が前記金属ストライクブレードを前記クイックリリースレバー上に固定連接し、前記金属ストライクブレードと前記クイックリリースレバーとの間の隙間は前記戻り止めレバーの厚さより大きいことを特徴とする請求項１記載の自動ロック装置付き自転車折り畳み機。
【請求項４】
前記レバー軸が前記戻り止めレバーの前記ロックキャッチから近い側の一端に設置され、前記戻り止めレバーの重りになるもう一端のレバーアームは長いことを特徴とする請求項２記載の自動ロック装置付き自転車折り畳み機。
【請求項５】
前記ロックキャッチと前記ロックボルトとは互いに位置を入れ替えることができ、前記ロックキャッチを前記車体パイプ上に取り付け、前記ロックボルトを前記クイックリリースレバー上に設置することができることを特徴とする請求項１記載の自動ロック装置付き自転車折り畳み機。
【発明の詳細な説明】
【技術分野】
【０００１】
本発明は折り畳み自転車の付属品であり、特に折り畳み機レバーをロックできる自動ロック装置付き自転車折り畳み機である。
【背景技術】
【０００２】
現在市場でみられる自転車折り畳み機は通常、複雑な構造を持ついわゆるクイック操作のレバーロック機構になっており、この種の折り畳み機は一般に４リンクバー調節機構またはその他の調節方式だけで、折り畳み機の前後折れ部を一つにロックするものである。このような構造は複雑で、そのうえ変形後の位置ずれなどが生じやすい。
【発明の概要】
【発明が解決しようとする課題】
【０００３】
本発明はまさにこうした既存技術の欠点を解消するために研究開発された、折り畳み機レバーをロックできる自動ロック装置付き自転車折り畳み機である。
【課題を解決するための手段】
【０００４】
本発明は以下の技術手段により実現できる。
【０００５】
本発明の自動ロック装置付き自転車折り畳み機は、前記折り畳み機の前後折れ部及びクイックリリースレバーから成り、前記クイックリリースレバーは前記折り畳み機の前折れ部上に取り付けられ、折り畳まれた折り畳み機の前後折れ部上でロックされる自動ロック装置付き自転車折り畳み機である。前記クイックリリースレバー上にはロックキャッチが設置され、車体パイプにはロックボルトが設置され、前記車体パイプ上の前記ロックボルトは前記折り畳み機をロックする前記クイックリリースレバーの前記ロックキャッチ上でロックインされる。前記ロックボルトは戻り止めレバーとレバー軸とから成り、前記車体パイプとの間に一定の隙間がある。前記戻り止めレバーは、さしがね形状であり、前記戻り止めレバー上のレバー軸で０〜６０°回転できる。前記戻り止めレバーの前記ロックキャッチと接触する一端は傾斜しており、前記ロックキャッチは、ロックされるとき、傾斜面により前記戻り止めレバーを下に押し、前記戻り止めレバーと前記車体パイプとの隙間に入る。前記戻り止めレバーのもう一端が重りになっていることで、前記戻り止めレバーの重力作用により、前記ロックキャッチと接触する側の端が常に上向きの状態になる。
【０００６】
前記ロックボルトはねじりスプリングを含み、前記ねじりスプリングは前記戻り止めレバー内に設置され、前記レバー軸は前記戻り止めレバーと前記ねじりスプリングを自転車車体パイプ上に固定連接し、前記ねじりスプリングの弾力により、前記戻り止めレバーと前記ロックキャッチとの接触端は常に上向きの状態になる。
【０００７】
前記ロックキャッチは先端が、円錐形の止め釘と金属ストライクブレードから成り、前記止め釘は金属ストライクブレードを前記クイックリリースレバー上に固定連接し、前記金属ストライクブレードと前記クイックリリースレバーとの間の隙間の高さは前記戻り止めレバーの厚さよりも大きい。
【０００８】
前記レバー軸は前記ロックキャッチから近い側の一端にあり、重りになるもう一端のレバーアームが長い。このような梃子の原理により、前記折り畳み機を引き開けるときは前記戻り止めレバーの重りになる一端を軽く持ち上げるだけで、簡単に前記折り畳み機を開くことができる。
【０００９】
前記ロックボルト及び前記ロックキャッチの位置は互いに入れ替わることができ、必要に応じて設定する。
【発明の効果】
【００１０】
本発明の自動ロック装置付き自転車折り畳み機は、クイックリリースレバー内の４リンクバー調節機構またはその他の調節方式に必要な構造精密要求を軽減することができる。誤ってレバーが回り、レバーが抜け、折り畳み機が緩む事故を防止することができる。戻り止めレバーの傾斜面と重りの相互作用により、自動ロック機能を容易に実現でき、弾力スプリングのねじれ作用により、ロック強度が増し、自動ロック機構の安全性がより高まる。
【図面の簡単な説明】
【００１１】
【図１】図１は本発明のクイックリリースレバーが開いた状態を示す図。
【図２】図２は本発明のクイックリリースレバーがロックされようとしている状態を示す図。
【図３】図３は本発明のクイックリリースレバーが既にロックされた状態を示す図。
【発明を実施するための形態】
【００１２】
添付図に示すように、本発明の自動ロック装置付き自転車折り畳み機２は、折り畳み機２の前後折れ部及びクイックリリースレバーから成り、クイックリリースレバーは折り畳み機２の前折れ部にあり、折り畳まれた折り畳み機の前後折れ部上でロックされる。クイックリリースレバー上にロックキャッチ１を設け、車体パイプ上にロックボルト５を設け、車体パイプ上のロックボルト５が折り畳み機２のクイックリリースレバーのロックキャッチ１の上でロックインする。ロックボルト５は戻り止めレバー３、レバー軸、ねじりスプリング４から成り、戻り止めレバー３はさしがね形状であり、戻り止めレバー３上のレバー軸で水平０〜６０°回転できる。戻り止めレバー３内にはねじりスプリング４が設置されており、レバー軸は戻り止めレバー３とねじりスプリング４を自転車車体パイプ上に固定連接する。ロックキャッチ１は、先端が円錐形の止め釘と金属ストライクブレードから成り、止め釘はストライクブレードをクイックリリースレバー上に固定連接し、ストライクブレードとクイックリリースレバーの間の隙間は戻り止めレバー３の厚さより若干大きい。
【００１３】
本発明の自動ロック装置付き自転車折り畳み機は、開いた状態では既存の自転車折り畳み機と差異はない。クイックリリースレバーが折り畳み機の前後折れ部をロックする過程で、クイックリリースレバーのロックキャッチ１の円錐形の先端は、戻り止めレバー３のさしがね端がロックキャッチ１のストライクブレードとクイックリリースレバーの間の隙間に滑り込むようになるまで、戻り止めレバーをプレスオフする。クイックリリースレバーが折り畳み機の前後折れ部をロックするとき、戻り止めレバー３がねじりスプリング４の作用により、簡単かつすばやくクイックリリースレバーをロックインする。
【００１４】
本発明の自動ロック装置付き自転車折り畳み機は、ロックイン状態にあるとき、自転車車体パイプに固定連接されている戻り止めレバー３を回せば、ロックボルト５がロックキャッチ２から外れ、簡単かつすばやくクイックリリースレバーを引き開け、折り畳み機を開くことができる。
【００１５】
戻り止めレバー３とロックキャッチ１が接触する一端は傾斜面になっていることで、ロックキャッチ１が、戻り止めレバー３と車体パイプの間の隙間により上手く滑り込ませることができる。レバー軸はロックキャッチ１から近い側の一端に設置されており、戻り止めレバー３のもう一端とレバー軸とのレバーアームがやや長く、先端部分が重りになっていることで、戻り止めレバー３の接触端が上向き状態を保つよう保証され、折り畳み機のロックの安定性を高めている。
【００１６】
本発明の自動ロック装置付き自転車折り畳み機は、干渉力のみで折り畳み機の前後折れ部をロックするクイックリリースレバーをロックインでき、ロックの信頼性が高く、調節しやすい。
【００１７】
以上、本発明について詳細に記述したが、本分野の従業者にとっては、この基礎の上に加えられた類似また近似する改良は、本発明の保護範囲に属することは、ここで指摘しておく必要がある。
【図１】
0005226896.tif 000002
【図２】
0005226896.tif 000003
【図３】
0005226896.tif 000004